(57)【要約】【課題】本発明は、簡素化された構造を有して、棚部材に植物栽培容器をしっかりと固定することができる植物栽培容器固定具を提供する。【解決手段】植木鉢Ｈを棚部材３上に固定するための植物栽培容器固定具５０は、植木鉢Ｈの内側の底面５１ｂにネット５２を介して係止される内側挟持部５３と、棚部材３の棚桟３ａの下面３ｃに係止される外側挟持部５４と、植木鉢Ｈの底部５１に形成された水抜き穴５１ａと棚部材３に設けられた棚桟３ａの間の隙間（貫通部）Ｓとを貫通する雄ネジ部５５を有すると共に、雄ネジ部５５に対して螺着される雌ネジ部５６を有する締結手段Ｒと、を備えている。外側挟持部５４を回しながら、棚桟３ａ間の隙間Ｓから突出する雄ネジ部５５に雌ネジ部５６を下から螺着させ、外側挟持部５４を回しながら締め込むことで、内側挟持部５３と外側挟持部５４とで、植木鉢Ｈの底部５１及び棚部材３の棚桟３ａを挟み込み、強風や地震によっても、植木鉢Ｈが棚部材３から落下することがない。【選択図】図６
2012080793.tif 000002
【特許請求の範囲】
【請求項１】
棚部材に植物栽培容器を固定させるために利用される植物栽培容器固定具であって、
前記植物栽培容器の内側の底面に係止される内側挟持部と、
棚部材の下面に係止される外側挟持部と、
前記植物栽培容器の底部に形成された水抜き穴と前記棚部材に設けられた貫通部とを貫通する雄ネジ部を有すると共に、前記雄ネジ部に対して螺着される雌ネジ部を有する締結手段と、を備え、
前記雄ネジ部と前記雌ネジ部とを螺着させて、前記内側挟持部と前記外側挟持部とで前記植物栽培容器の底部及び前記棚部材が挟持され、前記内側挟持部は、前記水抜き穴を開口した状態で、前記植物栽培容器の内側の前記底面における前記水抜き穴の周囲に係止させられることを特徴とする植物栽培容器固定具。
【請求項２】
前記内側挟持部には、前記植物栽培容器の前記水抜き穴と前記棚部材の前記貫通部とを貫通する前記雄ネジ部が設けられ、前記外側挟持部には、前記雄ネジ部が螺着される雌ネジ部が設けられていることを特徴とする請求項１記載の植物栽培容器固定具。
【請求項３】
前記外側挟持部には、前記植物栽培容器の前記水抜き穴と前記棚部材の前記貫通部とを貫通する前記雄ネジ部が設けられ、前記内側挟持部には、前記雄ネジ部が螺着される雌ネジ部が設けられていることを特徴とする請求項１記載の植物栽培容器固定具。
【請求項４】
請求項１〜３の何れか一項に記載の植物栽培容器固定具と、
前記植物栽培容器が載置される棚部材と、
前記棚部材を支持する支柱と、
前記支柱に固定される柵部材と、を備えたことを特徴とする外構フェンス構造。
【発明の詳細な説明】
【技術分野】
【０００１】
本発明は、特に、通風・採光を損なわずに、外部の視線を遮断するための外構フェンスに設置された棚部材に植木鉢、プランタボックス等の植物栽培容器を固定するために利用される植物栽培容器固定具及びこの植物栽培容器固定具を備えた外構フェンス構造に関する。
【背景技術】
【０００２】
限られた外部空間を緑化する為には、地盤面だけではなく壁面の緑化が有効である。様々なタイプの壁面緑化技術が開発されているが、概してネットやワイヤーに蔓性の植物を誘引させる場合が多い。この方法は完成すると美しいが、壁面を覆うまでの手間がかかり、しかも絶え間ない誘引のメンテナンスが必要となる。公共建築や大規模民間建築のような管理者がいる場合はよいが、個人住宅等の小規模建築では維持が困難である。
一方、従来より壁面に支持金物等で棚板を取り付け、そこに植木鉢を置くことが行われてきた。これによれば、上記の壁面緑化技術と比較しても簡便である。また、必要な部分に植木鉢やプランタボックスを置き季節に応じて置き換えを行うことが可能である。また、一年草のような観賞期間が短い植物や家庭菜園を短期間だけ楽しむことも可能である。しかし、この支持金物等は、その構造からブロック塀、組積造（レンガ・石積）塀、木板塀等に用いるのが一般的で、通風や採光を確保できる工業製品である鋼製やアルミ製のフェンスなどへの設置が困難であったため、あまり普及していなかった。
どころが、近年、ブロック塀、組積造（レンガ・石積）塀、木板塀等ではなく、通気や採光を可能にする外構フェンスに棚板を設置したいという要望が強くなっている。
ここで、外構フェンスに植栽を施すものとして、実公昭６１−９４１４９号公報、特開２００１−２０５６６号公報、特許２６５２９１６号公報が開示されている。
【先行技術文献】
【特許文献】
【０００３】
【特許文献１】実公昭６１−９４１４９号公報
【特許文献２】特開２００１−２０５６６号公報
【特許文献３】特許２６５２９１６号公報
【発明の概要】
【発明が解決しようとする課題】
【０００４】
しかしながら、前述の公報に開示された技術は、棚部材に植木鉢を固定するために利用される金具ではなく、しかも、塀に植木鉢を設置する技術であり、金具自体は、非常に大がかりであり、構造が複雑化するといった問題点がある。
【０００５】
本発明は、簡素化された構造を有して、棚部材に植木鉢、プランタボックス等の植物栽培容器をしっかりと固定することができる植物栽培容器固定具及びこの植物栽培容器固定具を備えた外構フェンス構造を提供することを目的とする。
【課題を解決するための手段】
【０００６】
本発明は、棚部材に植物栽培容器を固定させるために利用される植物栽培容器固定具であって、
植物栽培容器の内側の底面に係止される内側挟持部と、
棚部材の下面に係止される外側挟持部と、
植物栽培容器の底部に形成された水抜き穴と棚部材に設けられた貫通部とを貫通する雄ネジ部を有すると共に、雄ネジ部に対して螺着される雌ネジ部を有する締結手段と、を備え、
雄ネジ部と雌ネジ部とを螺着させて、内側挟持部と外側挟持部とで植物栽培容器の底部及び棚部材が挟持され、内側挟持部は、水抜き穴を開口した状態で、植物栽培容器の内側の底面における水抜き穴の周囲に係止させられることを特徴とする。
【０００７】
この植物栽培容器固定具においては、締結手段の雄ネジ部が、植物栽培容器（例えば植木鉢やプランタボックスなど）の水抜き穴と棚部の貫通部とを突き通すように貫通され、この雄ネジ部に雌ネジ部を螺着させて外側挟持部を締め込むことで、植物栽培容器の内側の底面に係止される内側挟持部と、棚部材の下面に形成される外側挟持部とで植物栽培容器の底部及び棚部材が挟み込まれる。従って、植物栽培容器を棚部材上にしっかりと固定させることができ、強風や地震によっても、植物栽培容器が棚部材から落下することがない。しかも、植物栽培容器固定具は、簡素化された構造を有し、内側挟持部で水抜き穴を塞ぐことがないので、植物栽培容器内の水を外部に排出する機能が損なわれることがなく、根腐れなど、植物の栽培に悪影響を与えない。さらに、この植物栽培容器固定具は、棚部材の裏側で露出させる構造になっているので、非常に目立たず、植物栽培容器が棚部材上にセットされた状態で、その外観に植物栽培容器固定具が大きな影響を与えることがないといった優れた効果を有する。
【０００８】
また、内側挟持部には、植物栽培容器の水抜き穴と棚部材の貫通部とを貫通する雄ネジ部が設けられ、外側挟持部には、雄ネジ部が螺着される雌ネジ部が設けられていると好適である。
このような構成にあっては、雄ネジ部が植物栽培容器の底の水抜き穴から外側に（下向きに）突出しているので、雄ネジ部を棚部材の貫通孔内に差し込むだけの簡単な作業によって、棚部材上に植物栽培容器を容易に固定することができる。しかも、雄ネジ部の長さを所定以上の長さに確保すれば、雄ネジ部の先端は、棚部材の裏面側からも露出した状態になるので、雄ネジ部に雌ネジ部を螺着させ易く、植物栽培容器を棚部材に固定させる作業性が極めて良い。
【０００９】
また、上記とは逆に、外側挟持部には、植物栽培容器の水抜き穴と棚部材の貫通部とを貫通する雄ネジ部が設けられ、内側挟持部には、雄ネジ部が螺着される雌ネジ部が設けられていても好適である。
このような構成にあっては、雌ネジ部の植物栽培容器の底から容器内に（上向きに）突出し、上記雌ネジ部のように植物栽培容器の水抜き穴から容器の外に下向きに突出しないので、外側挟持部をつけたまま内側挟持部の雌ネジ部を緩めて、植物栽培容器を棚部材から外した場合にも、地面等の水平面に安定的に置くことができる（植物栽培容器が傾いたり転がったりすることがない）。
【００１０】
本発明に係る外構フェンス構造は、請求項１〜３の何れか一項に記載の植物栽培容器固定具と、植物栽培容器が載置される棚部材と、棚部材を支持する支柱と、支柱に固定される柵部材と、を備えたことを特徴とする。
【発明の効果】
【００１１】
本発明によれば、植物栽培容器は簡素化された構造を有し、棚部材に植物栽培容器をしっかりと固定することができる。
【図面の簡単な説明】
【００１２】
【図１】本発明に係る外構フェンス構造の一実施形態を示す斜視図である。
【図２】ライナー部材を支柱に固定した状態を示す正面図である。
【図３】図１のIII−III線に沿う断面図である。
【図４】図３のＩＶ−ＩＶ線に沿う断面である。
【図５】本発明に係る植物栽培容器固定具の第１の実施形態を示す斜視図である。
【図６】図５に示された植物栽培容器固定具の要部拡大断面図である。
【図７】内側挟持部を示す底面図である。
【図８】第１の実施形態に係る他の植物栽培容器固定具を示す斜視図である。
【図９】第１の実施形態に係る更に他の植物栽培容器固定具を示す要部拡大断面図である。
【図１０】本発明に係る植物栽培容器固定具の第２の実施形態を示す斜視図である。
【図１１】第２の実施形態に係る他の植物栽培容器固定具を示す斜視図である。
【図１２】本発明に係る植物栽培容器固定具の第３の実施形態を示す斜視図である。
【図１３】第３の実施形態に係る他の植物栽培容器固定具を示す斜視図である。
【図１４】本発明に係る植物栽培容器固定具の第４の実施形態を示す斜視図である。
【図１５】第４の実施形態に係る他の植物栽培容器固定具を示す斜視図である。
【発明を実施するための形態】
【００１３】
以下、図面を参照しつつ本発明に係る植物栽培容器固定具及び外構フェンス構造の好適な実施形態について詳細に説明する。
【００１４】
アルミ材又はスチール材からなる外構フェンスは、通常、高さ６００〜１５００ｍｍであるが、図１に示すように、一般的にスクリーンと呼ばれている外構フェンス１は、高さ１８００〜２７００ｍｍを有している。外構フェンス１は、建築物が建設される敷地の境界線上で等間隔に配置される断面矩形で中空状の支柱２と、支柱２に固定された柵部材１０とを備えている。この柵部材１０には、支柱２に固定される横桟１０ａに対して等ピッチで縦桟１０ｂが配列されている。
【００１５】
図１〜図４に示すように、外構フェンス１の支柱２には、アルミ材又はスチール材からなる長尺状のライナー部材５が固定されている。断面ロ字状に形成されているライナー部材５は、外構フェンス１の支柱２にタッピングネジ（ネジ部材）６によって固定されると共に、支柱２に当接され且つ長手方向（鉛直方向）に沿って延在される固定片７と、棚部材３を支持するためのブラケット２０が装着されると共に、固定片７に対して面同士が互いに対面して平行に延在するブラケット支持片８と、固定片７とブラケット支持片８とを連結する左右一対の連結片９と、からなる。
【００１６】
ライナー部材５の固定片７には、等間隔にネジ挿入孔７ａが形成されている。ライナー部材５を支柱２に固定する際、固定片７を支柱２の表面に押し当てた状態で、現場でドリルによりネジ挿入孔７ａを介して支柱２に下穴を形成し、その後、ネジ挿入孔７ａからタッピングネジ６に差し込んで、支柱２にタッピングネジ６を螺着させる。これによって支柱２にライナー部材５が固定される。なお、支柱２には、工場で予め下穴加工が施されていてもよい。
【００１７】
また、ライナー部材５のブラケット支持片８には、ブラケット２０を固定するための締結部材１２が装着される取付け孔１３がブラケット支持片８の長手方向に等間隔で設けられる。更に、ブラケット支持片８には、タッピングネジ６の頭部６ａが貫通するネジ覗き穴１４が取付け孔１３の間に設けられている。このネジ覗き穴１４は、ネジ挿入孔７ａに対向し、ブラケット２０の取付けの邪魔にならないように、タッピングネジ６の頭部６ａをブラケット支持片８から突出させることがない。そして、取付け孔１３を等間隔に維持するために、ブラケット２０の取付けネジ覗き穴１４と取付け孔１３とは、互いに同じ位置を避けて重ならないようになっている。
【００１８】
棚部材３を外構フェンス１に取付け可能にする断面Ｔ字状のブラケット２０は、水平方向に延在して棚部材３を下から支持する棚支持片２１と、棚支持片２１の基端から下方に向けて延在する脚片２２と、棚支持片２１の基端から上方に向けて延在する脚延長片２３とからなる。脚片２２には、ネジ挿通孔２２ａが設けられ、脚延長片２３にもネジ挿通孔２３ａが設けられ、上側のネジ挿通孔２３ａと下側のネジ挿通孔２２ａの間隔はブラケット支持片８に形成されている取付け孔１３の間隔と等しくなっている。
【００１９】
また、棚支持片２１には、棚部材３を固定するための取付け孔２１ａが形成されている。棚部材３は、一定間隔で平行に配列された複数の棚桟３ａと、棚桟３ａを互いに連結する連結桟３ｂと、からなる。そして、取付け孔２１ａは、棚桟３ａの間に位置するように棚支持片２１に形成されている。
【００２０】
組立て時にドライバ等の工具を利用しない締結部材１２は、円柱状の軸部１２ａと、軸部１２ａの先端側に設けられた雄ネジ部１２ｂと、軸部１２ａの基端側に設けられた円形の握り部１２ｃと、からなる手回しネジである。雄ネジ部１２ｂは、タッピングネジとして形成され、各取付け孔１３，２１ａに螺着される。この場合、状況に応じて軸部１２ａの長さの異なる３種類の手回しネジ１２Ａ，１２Ｂ，１２Ｃが利用されている。
【００２１】
ブラケット２０をライナー部材５に取り付けるにあたって、ライナー部材５の所望の高さ位置にある取付け孔１３を利用者が選択し、手回しネジ１２Ａ，１２Ｂの雄ネジ部１２ｂを取付け孔１３に螺着させることによって、ブラケット２０の脚片２２及び脚延長片２３がライナー部材５に固定される。また、棚部材３をブラケット２０に取り付けるにあたっては、棚部材３の棚桟３ａの間に差し込まれた手回しネジ１２Ｃによって、棚支持片２１に棚部材３が固定される。図１に示すように、棚部材３は、隣接する支柱２のそれぞれの任意の位置に固定されたブラケット２０を掛け渡すように水平にセットされる。利用者の希望に応じた任意の段数の棚部材３を外構フェンス１にセットすることができ、この棚部材３上には、植物栽培容器としての植木鉢Ｈが置かれ、場合によっては、プランタボックスが置かれることもある。
【００２２】
日照や通風が確保し易い外構フェンス１にあっては、固定片７をタッピングネジ（ネジ部材）６により支柱２に固定させると、外構フェンス１の支柱２をライナー部材５で補強することができ、既存の外構フェンス１の支柱２にライナー部材５は後付けでも施工可能である。既存の外構フェンス１の支柱２は、植木鉢Ｈやプランタボックスの重量を支えることは当初予定されておらず、植木鉢Ｈやプランタボックスの重量は支柱２で支えられることからして、支柱２が強風や地震の影響で曲がったり折れたりし易くなるので、支柱２の曲げ強度のアップは必要であり、ライナー部材５の採用は、これを実現している。特に、外構フェンス１の高さが高ければ高いほど、植木鉢Ｈやプランタボックスを棚部材３上に載せた場合に、支柱２は曲がり易く、支柱２の補強は効果的である。
【００２３】
また、ブラケット支持片８に、タッピングネジ６の頭部６ａが貫通するネジ覗き穴１４が取付け孔１３の間に設けられていると、断面ロ字状のライナー部材５であっても、タッピングネジ６によってライナー部材５を支柱２に取り付ける作業と、手回しネジ１２Ａ，１２Ｂによってブラケット２０をブラケット支持片８に取り付けると作業とを同じ側から行うことができるので、容易な施工が可能になる。
【００２４】
次に、植物栽培容器としての植木鉢Ｈを棚部材３上に固定するための植物栽培容器固定具について説明する。なお、下記の種々の実施形態において、同一又は同等な構成部分には、同一符号を付し、重複した説明は省略する。
【００２５】
〔植物栽培容器固定具の第１の実施形態〕
図５及び図６に示すように、植物栽培容器としての植木鉢Ｈの底部５１には、円形の水抜き穴５１ａが形成され、この水抜き穴５１ａを塞ぐように、底面５１ｂ上にはネット５２が載置されている。ネット５２を利用することで、水抜き穴５１ａからの水抜きを確保しつつ、植木鉢Ｈ内の土が水抜き穴５１ａから流れ出ることが防止される。
【００２６】
植木鉢Ｈを棚部材３上に固定するための植物栽培容器固定具５０は、植木鉢Ｈの内側の底面５１ｂにネット５２を介して係止される内側挟持部５３と、棚部材３の棚桟３ａの下面３ｃに係止される外側挟持部５４と、植木鉢Ｈの底部５１に形成された水抜き穴５１ａと棚部材３に設けられた棚桟３ａの間の隙間（貫通部）Ｓとを貫通する雄ネジ部５５を有すると共に、雄ネジ部５５に対して螺着される雌ネジ部５６を有する締結手段Ｒと、を備えている。
【００２７】
樹脂又は金属製の内側挟持部５３は、円板状の本体部５３ａと、本体部５３ａの円形の裏面５３ａＡの周縁から突出する複数の脚部５３ｂと、からなる。さらに、本体部５３ａの裏面５３ａＡの中央には、雄ネジ部５５が立設されている。本体部５３ａには、雄ネジ部５５を囲むようにして脚部５３ｂが等間隔に配列されている（図７参照）。各脚部５３ｂは、水抜き穴５１ａの外側に位置し、各脚部５３ｂの先端は、植木鉢Ｈの内側の底面５１ｂにネット５２を介して係止させられる。そして、雄ネジ部５５は、棚桟３ａ間の隙間Ｓから突出させるのに十分な長さを有している。また、樹脂又は金属製の外側挟持部５４は、円板形状を有し、この外側挟持部５４の中央には、雌ネジ部５６が形成されている。
【００２８】
このような構成の植物栽培容器固定具５０を利用するにあたって、植木鉢Ｈの底部５１上に水抜き穴５１ａを塞ぐようにネット５２を載置させる。その後、雄ネジ部５５でネット５２を突き通して、雄ネジ部５５を水抜き穴５１ａから突出させる。そして、雄ネジ部５５が、棚桟３ａ間の隙間Ｓを通って棚部材３の下面３ｃから突出させるように、棚部材３上に植木鉢Ｈを載置させる。
【００２９】
そして、外側挟持部５４を回しながら、棚桟３ａ間の隙間Ｓから突出する雄ネジ部５５に雌ネジ部５６を下から螺着させ、外側挟持部５４を棚桟３ａの下面３ｃに圧着させると、内側挟持部５３の脚部５３ｂもネット５２に圧着される。このように、雄ネジ部５５に雌ネジ部５６を螺着させて外側挟持部５４を回しながら締め込むことで、内側挟持部５３と外側挟持部５４とで、植木鉢Ｈの底部５１及び棚部材３の棚桟３ａが強い力で挟み込まれる。従って、植木鉢Ｈを棚部材３上にしっかりと固定させることができ、強風や地震によっても、植木鉢Ｈが棚部材３から落下することがない。そして、植物栽培容器固定具５０を利用すると、植木鉢Ｈを棚部材３上に簡便に固定させることができる。
【００３０】
しかも、植物栽培容器固定具５０は、簡素化された構造を有し、脚部５３ｂ間の隙間を通って植木鉢Ｈ内の水が水抜き穴５１ａから排出されるので、内側挟持部５３で水抜き穴５１ａが塞がられることがない。従って、根腐れなど、植物の栽培に悪影響を与えない。さらに、この植物栽培容器固定具５０は、棚部材３の裏側で露出させる構造になっているので、非常に目立たず、植木鉢Ｈが棚部材３上にセットされた状態で、その外観に植物栽培容器固定具５０が大きな影響を与えることがないといった優れた効果を有する。
【００３１】
また、雄ネジ部５５が植木鉢Ｈの水抜き穴５１ａから露出させられているので、雄ネジ部５５を棚部材３の隙間Ｓ内に差し込むだけの簡単な作業によって、棚部材３上に植木鉢Ｈを容易にセットすることができ、しかも、雄ネジ部５５が棚部材３の裏側から露出した状態になっているので、雄ネジ部５５に雌ネジ部５６を螺着させ易く、植木鉢Ｈを棚部材３に固定させる作業性が極めて良い。
【００３２】
図８に示すように、他の植物栽培容器固定具５０Ａとしては、内側挟持部５３の本体部５３ａの中央には、雌ネジ部５６Ａが形成され、外側挟持部５４の中央には、雄ネジ部５５Ａが立設されている。このような構成の植物栽培容器固定具５０Ａを利用するにあたって、棚部材３の下から隙間Ｓ内に雄ネジ部５５Ａを差し込んで、水抜き穴５１ａを通過する雄ネジ部５５Ａでネット５２を突き通す。そして、外側挟持部５４を回しながら、雄ネジ部５５Ａに雌ネジ部５６Ａを螺着させ、外側挟持部５４を棚桟３ａの下面３ｃに圧着させると、内側挟持部５３の脚部５３ｂもネット５２に圧着され、内側挟持部５３と外側挟持部５４とで植木鉢Ｈの底部５１及び棚部材３の棚桟３ａが強い力で挟み込まれる。
【００３３】
このような構成の植物栽培容器固定具５０Ａにあっては、雌ネジ部５６Ａを植木鉢Ｈの水抜き穴５１ａから露出させる必要が無いので、内側挟持部５３から外側挟持部５４を外し、植木鉢Ｈは、棚部材３から降ろされて地面に置かれても傾くようなことがない。
【００３４】
図９に示すように、更に他の植物栽培容器固定具５０Ｂとしては、内側挟持部５３に設けられている雌ネジ部５６Ｂは、本体部５３ａの中央に形成されている円筒状の突起部５８内に形成され、この突起部５８は、水抜き穴５１ａから突出させない長さになっている。そして、突起部５８を水抜き穴５１ａから露出させることができるので、目視によって、雌ネジ部５６Ｂに雄ネジ部５５Ａを螺着させ易い。また、雌ネジ部５６Ｂを長くすることで、雄ネジ部５５Ａと雌ネジ部５６Ｂとの螺着部分が長くなり、ネジが緩み難く、螺着状態を安定させることができる。
【００３５】
〔植物栽培容器固定具の第２の実施形態〕
図１０に示すように、第２の実施形態に係る植物栽培容器固定具６０の内側挟持部６１は、植木鉢Ｈの底部５１に沿って延在する複数の脚部６２によって十字形状をなしている。この内側挟持部６１の中央には、雄ネジ部５５が立設させられている。さらに、脚部６２の下端には、断面三角形状の係止部６２ａが形成されている。従って、係止部６２ａの先端は、ネット５２に略線接触させられ、脚部６２によって水抜き穴５１ａが塞がれる面積を可能な限り小さくできる。なお、他の内側挟持部としては、脚部６２が放射形状又はＹ字形状になっていてもよい。
【００３６】
図１１に示すように、他の植物栽培容器固定具６０Ａにあっては、内側挟持部６１に雌ネジ部５６Ａが設けられ、外側挟持部５４に雄ネジ部５５Ａが立設させられている。
【００３７】
〔植物栽培容器固定具の第３の実施形態〕
図１２に示すように、第３の実施形態に係る植物栽培容器固定具７０の円板状の内側挟持部７１には、水抜き穴５１ａに連通させるための多数の排水孔７１ａが形成されている。この内側挟持部７１の中央には、雄ネジ部５５が立設させられている。なお、排水孔７１ａの数や形状は任意である。
【００３８】
図１３に示すように、他の植物栽培容器固定具７０Ａにあっては、内側挟持部７１に雌ネジ部５６Ａが設けられ、外側挟持部５４に雄ネジ部５５Ａが設けられている。
【００３９】
〔植物栽培容器固定具の第４の実施形態〕
図１４、図１５は、植物栽培容器固定具の第４の実施形態であり、この第４の実施形態では、第１〜第３実施形態に係る前記植物栽培容器固定具の内側挟持部とネット５２の機能を１つにまとめたものであり、ネット５２が不要になる。図１４に示すように、植物栽培容器固定具８０は、軸である雄ネジ部５５が立設される中央部８１ａから放射状に複数のスポーク８１ｂで繋げられた円形フレーム８１ｃと、フレーム８１ｃ内に張られたネット８１ｄと、からなるスケルトン状の内側挟持部８１を有し、中央部８１ａとスポーク８１ｂと円形フレーム８１ｃとネット８１ｄとは一体的に形成されている。
【００４０】
図１５に示すように、他の植物栽培容器固定具８０Ａにあっては、ネット８１ｄが設けられた内側挟持部８１には、中央部８１ａに雌ネジ部５６Ａが設けられている。
【００４１】
本発明は、前述した実施形態に限定されないことは言うまでもない。例えば、植物栽培容器としては、プランタボックスなども利用可能である。棚部材３としては、棚板に貫通部としてのルーズホールを１列又は複数列設けたものであってもよい。
【００４２】
また、植物栽培容器としての植木鉢やプランタボックスなどに水切り穴が無い場合には、ドリルによって現場で植物栽培容器の底部に穴開け加工が施される。
【符号の説明】
【００４３】
１…外構フェンス、５，３５，３６，４０…ライナー部材、６…タッピングネジ（ネジ部材）６、６ａ…ネジ部材の頭部、７，３９，４３…固定片、７ａ…ネジ挿入孔、８，３７，４１…ブラケット支持片、９，３８，４２…連結片、１２…手回しネジ（締結部材）、１３，３７ａ，４１ａ…取付け孔、１４…ネジ覗き穴、２０，３０…ブラケット。
Ｈ…植木鉢（植物栽培容器）、Ｒ…締結手段、Ｓ…隙間（貫通部）、２…支柱、３…棚部材、１０…柵部材、５０，５０Ａ，５０Ｂ，６０，６０Ａ，７０，７０Ａ，８０，８０Ａ…植物栽培容器固定具、５１ａ…水抜き穴、５２…ネット（網）、５３，６１，７１，８１…内側挟持部、５４…外側挟持部、５５，５５Ａ…雄ネジ部、５６，５６Ａ，５６Ｂ…雌ネジ部。
【図１】
2012080793.tif 000003
【図２】
2012080793.tif 000004
【図３】
2012080793.tif 000005
【図４】
2012080793.tif 000006
【図５】
2012080793.tif 000007
【図６】
2012080793.tif 000008
【図７】
2012080793.tif 000009
【図８】
2012080793.tif 000010
【図９】
2012080793.tif 000011
【図１０】
2012080793.tif 000012
【図１１】
2012080793.tif 000013
【図１２】
2012080793.tif 000014
【図１３】
2012080793.tif 000015
【図１４】
2012080793.tif 000016
【図１５】
2012080793.tif 000017